(57)【特許請求の範囲】
【請求項１】
被印刷用紙に所望の印刷を行う携帯型プリンタであって、
前記被印刷用紙を搬送するプラテンローラと、
前記プラテンローラにより搬送される前記被印刷用紙に対し、所望の印刷を行うサーマルラインヘッドと、
装置外郭上部を構成するトップカバー及び装置外郭下部を構成するアンダーカバーを備え、前記プラテンローラ及び前記サーマルラインヘッドを内包するハウジングと、
を有し、
前記トップカバーは、
前記被印刷用紙が挿入される挿入口と、
前記挿入口の一方側縁部に設けられ、互いに幅方向寸法の異なる複数種類の前記被印刷用紙の幅方向両端部を各種類の被印刷用紙ごとにそれぞれガイドする複数の凹部を含む、用紙ガイド部と、
を備え、
前記用紙ガイド部は、
前記複数の凹部が一体的に連結され、前記トップカバーの外郭上面より突出しないように形成された、段付き凹部を備える
ことを特徴とする携帯型プリンタ。
【請求項２】
請求項１記載の携帯型プリンタにおいて、
前記用紙ガイド部の前記複数の凹部は、
互いの幅方向中心線を一致させた態様で前記段付き凹部に配置されている
ことを特徴とする携帯型プリンタ。
【請求項３】
請求項２記載の携帯型プリンタにおいて、
前記複数の凹部のそれぞれは、
幅方向寸法が小さい凹部ほど、前記段付き凹部の凹み方向側に位置するように、当該段付き凹部に配置されている
ことを特徴とする携帯型プリンタ。
【請求項４】
請求項１乃至請求項３のいずれか１項記載の携帯型プリンタにおいて、
前記段付き凹部は、
前記被印刷用紙の挿入方向に略沿って傾斜した、端部断面形状を備えている
ことを特徴とする携帯型プリンタ。
【発明の詳細な説明】
【技術分野】
【０００１】
本発明は、被印刷用紙に所望の印刷を行う携帯型プリンタに関する。
【背景技術】
【０００２】
被印刷用紙に所望の印刷を行う携帯型プリンタが知られている（例えば、特許文献１参照）。この携帯型プリンタは、被印刷用紙を搬送するプラテンローラと、このプラテンローラにより搬送される被印刷用紙に対し、所望の印刷を行うサーマルラインヘッドと、上記プラテンローラ及びサーマルラインヘッドを内包して装置の外郭を構成するハウジングとを有している。
【先行技術文献】
【特許文献】
【０００３】
【特許文献１】特開平７−３０９０４１号公報
【発明の概要】
【発明が解決しようとする課題】
【０００４】
操作者（ユーザ）が上記従来技術の携帯型プリンタを用いる場合には、挿入口から被印刷用紙を手差しで挿入する。これにより、挿入された被印刷用紙が、ガイド部材によってプラテンローラとサーマルラインヘッドとの圧接部に案内される。プラテンローラの搬送と共にサーマルラインヘッドにより所望の印刷が行われた被印刷用紙は、排出口からプリンタ外部へと排出される。
【０００５】
上記特許文献には明確には記載されていないが、このような従来の携帯型プリンタにおいて、種々様々なサイズの被印刷用紙を用いて印刷可能としたものが、既に提唱されている。このとき、挿入口は、印刷可能な被印刷用紙のサイズのうち最大サイズの用紙寸法に合わせて形成されている。したがって、操作者が最大サイズよりも小さい被印刷用紙を挿入する場合には、被印刷用紙の種類別に、例えばハウジングの挿入口近傍に設けられた目印に対し、被印刷用紙の端部や幅方向中心線を合わせながら注意深く挿入しなければならず、面倒であった。
【０００６】
本発明の目的は、操作者が、被印刷用紙の種類別に挿入口での挿入位置を特に意識することなく、気軽かつ容易に印刷を行える携帯型プリンタを提供することにある。
【課題を解決するための手段】
【０００７】
上記目的を達成するために、第１の発明は、被印刷用紙に所望の印刷を行う携帯型プリンタであって、前記被印刷用紙を搬送するプラテンローラと、前記プラテンローラにより搬送される前記被印刷用紙に対し、所望の印刷を行うサーマルラインヘッドと、装置外郭上部を構成するトップカバー及び装置外郭下部を構成するアンダーカバーを備え、前記プラテンローラ及び前記サーマルラインヘッドを内包するハウジングと、を有し、前記トップカバーは、前記被印刷用紙が挿入される挿入口と、前記挿入口の一方側縁部に設けられ、互いに幅方向寸法の異なる複数種類の前記被印刷用紙の幅方向両端部を各種類の被印刷用紙ごとにそれぞれガイドする複数の凹部を含む、用紙ガイド部と、を備え、前記用紙ガイド部は、前記複数の凹部が一体的に連結され、前記トップカバーの外郭上面より突出しないように形成された、段付き凹部を備えることを特徴とする。
【０００８】
本願第１発明においては、ハウジングの内部にプラテンローラ及びサーマルラインヘッドが設けられている。ハウジングのトップカバーの挿入口から用紙ガイド部によってガイドされつつ挿入された被印刷用紙は、プラテンローラによって搬送され、サーマルラインヘッドによって所望の印刷が行われる。このとき、用紙ガイド部は、複数の凹部を備えている。複数の凹部は、互いに幅方向寸法が異なる複数種類の被印刷用紙にそれぞれ対応しており、各凹部は、対応する種類の被印刷用紙の幅方向両端部をガイドするようになっている。このような構造の用紙ガイド部をトップカバーの挿入口の縁部に備えることにより、複数種類の被印刷用紙に対する位置決めを確実に行いつつ、円滑に所望の印刷を行うことができる。この結果、操作者は、被印刷用紙の種類別に挿入口での挿入位置を特に意識しなくても気軽にかつ容易に印刷を行うことができる。したがって、操作者の利便性が向上する。
また、本願第１発明においては、用紙ガイド部が、複数の凹部が一体的に連結され、トップカバーの外郭上面より突出しないように形成された、段付き凹部を備えている。用紙ガイド部において、複数の凹部が段付き凹部として一体的に形成されていることにより、複数の凹部を設けるためのスペースを低減することができる。
【００１１】
第２発明は、上記第１発明において、前記用紙ガイド部の前記複数の凹部は、互いの幅方向中心線を一致させた態様で前記段付き凹部に配置されていることを特徴とする。
【００１２】
これにより、複数の凹部の幅方向一端を揃えて配置する場合よりも、使用者にとって各凹部の挿入位置に違いが視覚的にわかりやすくなる。また、操作者は、どのような種類の被印刷用紙であっても、常に被印刷用紙の中心線を挿入口の幅方向中心線と一致させるように挿入すればよいので、これによっても、操作者の利便性を向上することができる。
【００１３】
第３発明は、上記第２発明において、前記複数の凹部のそれぞれは、幅方向寸法が小さい凹部ほど、前記段付き凹部の凹み方向側に位置するように、当該段付き凹部に配置されていることを特徴とする。
【００１４】
これにより、小さいサイズの被印刷用紙の凹部ほど、操作者から見て挿入口の下方に位置することとなる。この結果、操作者による被印刷用紙の挿入性を向上できるとともに、操作者にとって視覚的にわかりやすい配置とすることができる。
【００１５】
第４発明は、上記第１乃至第３発明のいずれか１つにおいて、前記段付き凹部は、前記被印刷用紙の挿入方向に略沿って傾斜した、端部断面形状を備えていることを特徴とする。
【００１６】
これにより、段付き凹部の端部における被印刷用紙の摩擦やひっかかりを抑制し、滑らかな挿入性を確保することができる。
【発明の効果】
【００１７】
本発明によれば、操作者は、被印刷用紙の種類別に挿入口での挿入位置を特に意識することなく、気軽かつ容易に印刷を行うことができる。
【図面の簡単な説明】
【００１８】
【図１】本発明の一実施の形態である携帯型プリンタの外観構成を表す斜視図である。
【図２】携帯型プリンタの内部構造を表す、前方側斜め上方向から見た分解斜視図である。
【図３】携帯型プリンタの内部構造を表す図１中ＩＩＩ−ＩＩＩ断面による側断面図である。
【図４】携帯型プリンタの制御系を表すブロック図である。
【発明を実施するための形態】
【００１９】
以下、本発明の一実施の形態を図面を参照しつつ説明する。
【００２０】
図１及び図２を用いて、本発明の一実施の形態である携帯型プリンタ１の外観構成を説明する。以下では、図１中左下方向を前方、右上方向を後方、左上方向を左方、右下方向を右方として説明する。
【００２１】
携帯型プリンタ１は、例えばＰＣ端末や携帯電話等の外部機器２（後述の図４参照）より有線通信あるいは無線通信を介して受信した印刷データを種々の被印刷用紙（図示せず）に印刷する。この携帯型プリンタ１は、充電式電池１０（後述の図３等参照）を電源として駆動可能であり、様々な場所に携帯して使用することができる。
【００２２】
携帯型プリンタ１は、樹脂材料で構成された、装置外郭を構成する略直方体形状のハウジング１００を備えている。このハウジング１００は、装置外郭上部を構成するトップカバー１０１と、装置外郭下部を構成するアンダーカバー１０２と、トップカバー１０１の上面前方側に開閉可能に設けられたカバー部材１０３とを備えている。印刷時には、トップカバー１０１とカバー部材１０３との間に形成された挿入口１０４に上記被印刷用紙が挿入される。挿入された被印刷用紙は、挿入口１０４の下方に設けられたガイド部材１２０により、後述するプラテンローラ１１１とサーマルラインヘッド１１２との圧接部Ｐ（後述の図３参照）に案内され、印刷完了後にカバー部材１０３とアンダーカバー１０２との間に形成された排出口１０７より排出される。
【００２３】
図１及び図２に示すように、トップカバー１０１のうち、挿入口１０４の一方側縁部（この例では後方側縁部）には、互いに幅方向寸法の異なる複数種類（この例では、Ａ４サイズ、Ｂ５サイズ、Ａ５サイズ等の３種類）の被印刷用紙ごとに、幅方向両端部をそれぞれ各別にガイドするための用紙ガイド部２０１が備えられている。
【００２４】
すなわち、用紙ガイド部２０１には、前記３種類の被印刷用紙（図示せず）ごとに、幅方向両端部をそれぞれガイドするための前記各種サイズに応じた、Ａ４サイズ用凹部２０１Ａと、Ｂ５サイズ用凹部２０１Ｂと、Ａ５サイズ用凹部２０１Ｃとが、それぞれ形成されている。そして、これら凹部２０１Ａ、凹部２０１Ｂ、及び凹部２０１Ｃが、段差部２０２を介して一体的に連結されていることで、全体として段付き凹部となっている。
【００２５】
また、用紙ガイド部２０１のこれら３つの凹部２０１Ａ、凹部２０１Ｂ、及び凹部２０１Ｃは、幅方向寸法が小さいものほど段付き凹部の凹み方向側、言い換えれば後方側（上記の例ではＡ４サイズ用凹部２０１ＡよりＢ５サイズ用凹部２０１Ｂが後方側、Ｂ５サイズ用凹部２０１ＢよりＡ５サイズ用凹部２０１Ｃが後方側）に位置するように配置されている。また、これら３つの凹部２０１Ａ、凹部２０１Ｂ、及び凹部２０１Ｃは、幅方向中心線を互いに一致させた態様で当該段付き凹部配置されている。すなわち、凹部２０１Ａの幅方向中心線は直線ｋであり、凹部２０１Ｂの幅方向中心線も直線ｋであり、及び凹部２０１Ｃの幅方向中心線も直線ｋであり、いずれも同一である。このとき、トップカバー１０１上面における、それらの凹部に共通の直線ｋ上、言い換えれば段付き凹部の幅方向中心線に相当する位置には、矢印Ｍ０が記載されている。また、トップカバー１０１上面における、各段差部２０２に相当する位置には、「Ａ４」「Ｂ５」「Ａ５」の被印刷用紙の各サイズを表す記号Ｍ１，Ｍ２，Ｍ３がそれぞれ記載されている。
【００２６】
さらに、用紙ガイド部２０１の３つの凹部２０１Ａ、凹部２０１Ｂ、及び凹部２０１Ｃによって構成される段付き凹部は、被印刷用紙の挿入方向に略沿って傾斜した傾斜面２０３がそれぞれ形成されている。この傾斜面２０３は、挿入口１０４の下方に設けられたガイド部材１２０の水平面１２１から装置内部側に向けて傾斜した傾斜面１２２に略面一となるように、当該ガイド部材１２０上部に段付き凹部となった用紙ガイド部２０１が配置される。
【００２７】
次に、図３を用いて、携帯型プリンタ１の内部構造を説明する。
【００２８】
携帯型プリンタ１のハウジング１００内には、前述したプラテンローラ１１１とサーマルラインヘッド１１２とが設けられている。プラテンローラ１１１は、ハウジング１００の内部に設けられた一対のサイドシャーシ部材１３０Ｌ，１３０Ｒ（図２参照）により回転自在に支持されており、駆動モータ１１（後述の図４参照）により回転駆動されることで被印刷用紙を搬送する。サーマルラインヘッド１１２は、後方側端部に軸部材１１３を備えた放熱板１１４上に設けられており、この放熱板１１４は上記サイドシャーシ部材１３０Ｌ，１３０Ｒにより軸部材１１３を中心に回動可能に支持されている。また、アンダーカバー１０２の内表面に設けられたメインシャーシ部材１５０には、上記サーマルラインヘッド１１２を支持する放熱板１１４をプラテンローラ１１１側に回動付勢する複数のコイルバネ１１５が設けられている。これにより、サーマルラインヘッド１１２は上記プラテンローラ１１１に圧接可能となっており、印刷時にはプラテンローラ１１１に所定の圧接力で接触し、その間に挿通された被印刷用紙に所望の印刷を行う。
【００２９】
通常の印刷時においては、カバー部材１０３を閉じた状態で挿入口１０４に被印刷用紙を挿入することで、被印刷用紙が上記ガイド部材１２０に案内されつつプラテンローラ１１１により搬送され、サーマルラインヘッド１１２によって所望の印刷が行われる。紙詰まり等が生じた場合には、カバー部材１０３を開放することで、サーマルラインヘッド１１２からプラテンローラ１１１がリリースされ、容易に用紙を引き出すことが可能となる。
【００３０】
ハウジング１００の後方側には、略棒状の充電式電池１０を収容するバッテリ収納室１０５が設けられており、このバッテリ収納室１０５にはバッテリ室カバー１７０が着脱可能に設けられている。当該バッテリ室カバー１７０を取り外した状態では、上記バッテリ収納室１０５がハウジング１００の背面部分に開口する。
【００３１】
図２に戻り、この図２を用いて前述したガイド部材１２０の固定構造について説明する。なお、以下の説明において前後左右上下の各方向をいうときは、ガイド部材１２０等の各部品が携帯型プリンタ１に取り付けられた状態での各方向に対応している。
【００３２】
図２に示すように、携帯型プリンタ１は、ハウジング１００を構成するトップカバー１０１、アンダーカバー１０２、及びカバー部材１０３と、シャーシ組立体５０とを組み付けることによって、概略組み立てられる。シャーシ組立体５０は、アンダーカバー１０２の内表面に設けられた、シャーシ組立体５０の底部を構成するメインシャーシ部材１５０と、このメインシャーシ部材１５０の長手方向両側端部より立設される一対のサイドシャーシ部材１３０Ｌ，１３０Ｒとを備えている。サイドシャーシ部材１３０Ｌ，１３０Ｒは、軸孔１３１にプラテンローラ１１１の軸部材１１１ａを挿通することにより、プラテンローラ１１１を回転可能に支持している。またサイドシャーシ部材１３０Ｌ，１３０Ｒは、サーマルラインヘッド１１２を備えた放熱板１１４を、前述した軸部材１１３を介して回動可能に支持している。
【００３３】
左側のサイドシャーシ部材１３０Ｌには、プラテンローラ１１１を駆動する駆動モータ１１と、この駆動モータ１１の駆動力をプラテンローラ１１１の上記軸部材１１１ａに伝達する、複数のギアからなるギア機構１３２が設けられている。
【００３４】
また、サイドシャーシ部材１３０Ｌ，１３０Ｒの上部には、ビーム部材１４０が架け渡され、ネジにより固定されている。そして、挿入口１０４から挿入された被印刷用紙をプラテンローラ１１１とサーマルラインヘッド１１２との圧接部Ｐに案内する前述のガイド部材１２０は、ハウジング１００を構成するトップカバー１０１、アンダーカバー１０２、及びカバー部材１０３とは分離された別体として構成されており、上記ビーム部材１４０に固定されることによって、サイドシャーシ部材１３０Ｌ，１３０Ｒに設けられている。
【００３５】
図２及び図３に示すように、ガイド部材１２０は、その上部に、シャーシ組立体５０への組み付け時に略水平となる水平面１２１と、この水平面１２１から装置内部側に向けて傾斜した傾斜面１２２とを有している。この傾斜面１２２は、この例では、上記３つの凹部２０１Ａ、凹部２０１Ｂ、及び凹部２０１Ｃから装置内部側に向けて傾斜した、上記傾斜面２０３に対して略面一となるように配置される。
【００３６】
これら水平面１２１及び傾斜面１２２上には、被印刷用紙の案内方向に沿って形成された複数の突条部材１２３が、長手方向に並列して設けられている。
【００３７】
次に、図４を用いて、携帯型プリンタ１の制御系について説明する。
【００３８】
携帯型プリンタ１は、ＣＰＵ１２を有している。このＣＰＵ１２は、ＤＲＡＭ１３の一時記憶機能を利用しつつＲＯＭ１４に予め記憶されたプログラムに従って信号処理を行い、それによって携帯型プリンタ１全体の制御を行う。
【００３９】
ＣＰＵ１２は、携帯型プリンタ１の電源のオン・オフ処理を行う電源回路１５と、プラテンローラ１１１を駆動する駆動モータ１１の駆動制御を行うモータ駆動回路１６と、サーマルラインヘッド１１２の駆動制御を行うサーマルヘッド制御回路１７とに接続されている。
【００４０】
またＣＰＵ１２は、用紙検出センサ１８と、用紙送り操作を行うためのフィードキー４０（図１及び図２も参照）と、電源のオン・オフ操作を行うための電源キー３０（図１及び図２も参照）とに接続されている。ＣＰＵ１２は、用紙検出センサ１８の検出結果に基づき、挿入口１０４に被印刷用紙が挿入されているか否かを検出する。またＣＰＵ１２は、電源キー３０又はフィードキー４０が押し下げられた場合に、当該押し下げられたキーに対応した処理を実行する。すなわち、フィードキー４０が押し下げられると、ＣＰＵ１２は、上記モータ駆動回路１６に制御信号を出力し、駆動モータ１１を駆動させてプラテンローラ１１１を回転させ、被印刷用紙を所定量搬送するフィード処理を行う。また、携帯型プリンタ１の電源オフ状態で電源キー３０が押し下げられると、ＣＰＵ１２は、電源回路１５に制御信号を出力して電源のオン処理を行い、電源オン状態で電源キー３０が押し下げられると、電源回路１５に制御信号を出力して電源のオフ処理を行う。
【００４１】
なお、上記フィードキー４０は、例えば被印刷用紙の搬送方向途中位置から印刷を開始するために用紙送りをする場合や、搬送方向長さが所定の長さよりも長い被印刷用紙を用いた場合において印刷終了後に用紙を排出するような場合に、操作される。
【００４２】
またＣＰＵ１２は、ＵＳＢインターフェース駆動回路２１と、無線通信部２２と、赤外線通信部２３とに接続されている。ＵＳＢインターフェース駆動回路２１は、ＵＳＢ端子２４（図１も参照）に接続されたＵＳＢケーブル（図示省略）を介して上記外部機器２との間で行われる通信の制御を行う。また無線通信部２２は、上記外部機器２との間で行われる赤外線以外の電波による無線通信の制御を行う。また赤外線通信部２３は、上記外部機器２との間で行われる赤外線通信の制御を行う。
【００４３】
上記無線通信と赤外線通信との通信規格の切り替えは、次のようにして行われる。すなわち、電源のオフ状態において、上記フィードキー４０が押し下げられた状態で、上記電源キー３０が押し下げられた場合、ＣＰＵ１２は電源のオン処理を実行するとともに、通信規格の切り替えを実行する。したがって、通信規格が無線通信である場合に上記操作が行われると赤外線通信に切り替えられ、通信規格が赤外線通信である場合に上記操作が行われると無線通信に切り替えられる。
【００４４】
上記構成において、携帯型プリンタ１で印刷を行う際には、操作者（ユーザ）は、ＰＣ端末や携帯電話等の外部機器２を用いて被印刷用紙に印刷する印刷データの入力を行うとともに、印刷開始指示入力を行う。これにより、外部機器２から携帯型プリンタ１に、上記ＵＳＢケーブル、又は、無線通信若しくは赤外線通信を介して、印刷データが送信され、携帯型プリンタ１において印刷データに基づいた印刷が行われる。
【００４５】
以上説明したように、本実施形態の携帯型プリンタ１においては、用紙ガイド部２０１は、複数の凹部（この例では凹部２０１Ａ、凹部２０１Ｂ、及び凹部２０１Ｃの３つ）を備えている。これら３つの凹部２０１Ａ、凹部２０１Ｂ、及び凹部２０１Ｃは、互いに幅方向寸法が異なる複数種類の被印刷用紙にそれぞれ対応しており、各凹部２０１Ａ，２０１Ｂ，２０１Ｃは、対応する種類（この例ではＡ４サイズ、Ｂ５サイズ、Ａ５サイズ）の被印刷用紙の幅方向両端部をガイドする。このような構造の用紙ガイド部２０１をトップカバー１０１の挿入口１０４の縁部に備えることにより、操作者は、複数種類（この例ではＡ４サイズ、Ｂ５サイズ、Ａ５サイズ）の被印刷用紙に対する位置決めを確実に行いつつ、円滑に所望の印刷を行うことができる。この結果、操作者は、被印刷用紙の種類別に挿入口１０４での挿入位置を特に意識しなくても気軽にかつ容易に印刷を行うことができる。したがって、操作者の利便性が向上する。
【００４６】
また、本実施形態では特に、用紙ガイド部２０１において、複数の凹部（この例では３つの凹部２０１Ａ、凹部２０１Ｂ、及び凹部２０１Ｃ）が段付き凹部として一体的に形成されている。これにより、これら３つの凹部を互いに分離した態様で別々に設ける場合に比べ、３つの凹部２０１Ａ、凹部２０１Ｂ、及び凹部２０１Ｃを設けるためのスペースを低減することができる。
【００４７】
また、本実施形態では特に、用紙ガイド部２０１の複数の凹部（この例では３つの凹部２０１Ａ、凹部２０１Ｂ、及び凹部２０１Ｃ）は、互いに同一の直線Ｋを幅方向中心線とする態様で配置されている。これにより、各凹部の幅方向一端を揃えて配置する（左寄せ配置や右寄せ配置等）場合よりも、使用者にとって各凹部２０１Ａ，２０１Ｂ，２０１Ｃの挿入位置に違いが視覚的にわかりやすくなる。また、操作者は、どのような種類の被印刷用紙であっても、常に被印刷用紙の中心線を挿入口１０４の幅方向中心線と一致させるように挿入すればよいので、これによっても、操作者の利便性を向上することができる。
【００４８】
また、本実施形態では特に、３つの凹部２０１Ａ、凹部２０１Ｂ、及び凹部２０１Ｃは、幅方向寸法が小さいものほど段付き凹部の凹み方向側に配置されている。すなわち、Ａ４サイズ用凹部２０１ＡよりＢ５サイズ用凹部２０１Ｂが後方側に位置し、Ｂ５サイズ用凹部２０１ＢよりＡ５サイズ用凹部２０１Ｃが後方側に位置するように配置されている。これにより、小さいサイズの被印刷用紙の凹部ほど、操作者から見て挿入口１０４の下方に位置することとなる。この結果、操作者による被印刷用紙の挿入性を向上できるとともに、操作者にとって視覚的にわかりやすい配置とすることができる。
【００４９】
また、本実施形態では特に、３つの凹部２０１Ａ、凹部２０１Ｂ、及び凹部２０１Ｃの端部が、被印刷用紙の挿入方向に略沿って傾斜した断面形状となる、傾斜面２０３となっている。これにより、段付き凹部の端部における被印刷用紙の摩擦やひっかかりを抑制し、滑らかな挿入性を確保することができる。
【００５０】
なお、一々例示はしないが、本発明は、その趣旨を逸脱しない範囲内において、上記以外にも種々の変更が加えられて実施されるものである。
【符号の説明】
【００５１】
１              携帯型プリンタ
１００          ハウジング
１０１          トップカバー
１０２          アンダーカバー
１０４          挿入口
１１１          プラテンローラ
１１２          サーマルラインヘッド
１２０          ガイド部材
１２２          傾斜面
２０１          用紙ガイド部
２０１Ａ〜Ｃ    凹部
２０２          段差部
２０３          傾斜面
【図１】
0005549811.tif 000002
【図２】
0005549811.tif 000003
【図３】
0005549811.tif 000004
【図４】
0005549811.tif 000005